(57)【要約】  ケラチン繊維を処置および成形するシステムおよび方法が提供される。光ベースシステムは、１つ以上の光源を備えて構成された活性化システムを含む。光源は、ケラチン繊維を含む目標領域に電磁放射を適用するように構成されている。光ベースシステムは、電磁放射を目標領域に適用して、ケラチン繊維上の光増感剤の支援を受けて光架橋を起こし、ケラチン繊維を第１の物理的状態から第２の物理的状態に移行させる。【選択図】図２
2020525092.tif 000002
【特許請求の範囲】
【請求項１】
美容処置を実施する方法であって、
（ａ）対象のケラチン繊維に、前記ケラチン繊維が第１の物理的状態にある間に光増感剤を適用するステップと、
（ｂ）前記ケラチン繊維および前記光増感剤を、前記ケラチン繊維に光架橋または光活性化を起こすために選択された電磁放射に供して、前記ケラチン繊維を前記第１の物理的状態とは異なる第２の物理的状態に移行させるステップと、を含む、方法。
【請求項２】
前記電磁放射が、４００〜７００ｎｍの波長で適用される、請求項１に記載の方法。
【請求項３】
前記電磁放射が、６０〜１２０ジュール／ｃｍ２のパワー出力で適用される、請求項１に記載の方法。
【請求項４】
前記光増感剤が、ローズベンガル、リボフラビン、およびそれらの混合物から選択される、請求項１に記載の方法。
【請求項５】
前記ケラチン繊維が、前記対象の毛束の中に位置している、請求項１に記載の方法。
【請求項６】
ステップ（ｂ）が、前記ケラチン繊維に物理的な力を美容デバイスに供して、前記ケラチン繊維を前記第２の物理的状態に配置するステップをさらに含む、請求項５に記載の方法。
【請求項７】
前記美容デバイスが、カーリングアイロン、ヘアストレートナー、ブロードライヤー、およびヘアブラシのうちの少なくとも１つを含む、請求項６に記載の方法。
【請求項８】
（ａ）前記対象の前記毛束に繊維状タンパク質を適用するステップと、
（ｂ）前記繊維状タンパク質、前記光増感剤、および前記毛束を、前記繊維状タンパク質と前記毛束の中の前記ケラチン繊維との間で光架橋を起こすために選択された電磁放射に供するステップと、をさらに含み、
前記光架橋が、前記ケラチン繊維を前記第１の物理的状態から前記第２の物理的状態に移行させる、請求項５に記載の方法。
【請求項９】
前記繊維状タンパク質が、ケラチン、コラーゲン、合成繊維、人工毛髪、毛髪、およびそれらの混合物を含む、請求項８に記載の方法。
【請求項１０】
前記繊維状タンパク質が、前記繊維状タンパク質に結合された治療材料をさらに含む、請求項９に記載の方法。
【請求項１１】
前記繊維状タンパク質が、外部の毛束の中に位置している、請求項８に記載の方法。
【請求項１２】
前記外部の毛束が、前記対象の前記毛束に光架橋される、請求項１１に記載の方法。
【請求項１３】
前記ケラチン繊維の前記第２の物理的状態が、前記ケラチン繊維の前記第１の物理的状態よりも大きい平均直径を有する、請求項８に記載の方法。
【請求項１４】
前記ケラチン繊維の前記第２の物理的状態が、前記ケラチン繊維の前記第１の物理的状態より大きい質量を有する、請求項８に記載の方法。
【請求項１５】
前記毛束の中の前記ケラチン繊維の前記第２の物理的状態が、前記第１の物理的状態とは異なる色を含む、請求項８に記載の方法。
【請求項１６】
前記第１の物理的状態が、波状または巻き毛構成を含み、前記第２の物理的状態が、直線状構成を含む、請求項１に記載の方法。
【請求項１７】
前記第１の物理的状態が、直線状構成を含み、前記第２の物理的状態が、波状または巻き毛構成を含む、請求項１に記載の方法。
【請求項１８】
前記ケラチン繊維が、前記対象の爪の中に位置している、請求項１に記載の方法。
【請求項１９】
ステップ（ａ）が、繊維状タンパク質を前記対象の前記爪に適用するステップを含み、ステップ（ｂ）が、前記繊維状タンパク質、前記光増感剤、および前記爪を前記電磁放射に供するステップを含む、請求項１８に記載の方法。
【請求項２０】
前記繊維状タンパク質が、ケラチン、コラーゲン、またはそれらの混合物を含む、請求項１９に記載の方法。
【請求項２１】
前記繊維状タンパク質が、前記繊維状タンパク質に結合した治療剤をさらに含む、請求項１９に記載の方法。
【請求項２２】
前記治療剤が、抗細菌剤、抗菌剤、またはそれらの混合物を含む、請求項２１に記載の方法。
【請求項２３】
前記ケラチン繊維の前記第２の物理的状態が、前記ケラチン繊維の前記第１の物理的状態より大きい質量を有する、請求項１９に記載の方法。
【請求項２４】
前記ケラチン繊維の前記第２の物理的状態が、前記ケラチン繊維の前記第１の物理的状態より大きい密度を有する、請求項１９に記載の方法。
【請求項２５】
ケラチン繊維を処置および成形するための光ベースシステムであって、
流体出口と流体連通する容器を含む流体供給システムであって、前記容器が、光増感剤を収容するように構成され、前記流体出口が、前記ケラチン繊維を含む目標領域に前記光増感剤を分配するように構成されている、流体供給システムと、
１つ以上の光源を備えて構成された活性化システムであって、前記光源が、前記目標領域に電磁放射を適用するように構成されている、活性化システムと、
メモリを有し、前記活性化システムと電気通信するように構成された、プロセッサであって、前記メモリからの保存された命令を実施して、前記活性化システムに前記電磁放射を前記目標領域に適用させ、前記ケラチン繊維に光架橋を起こして、第１の物理的状態から第２の物理的状態への移行を引き起こすように構成されている、プロセッサと、を含む、光ベースシステム。
【請求項２６】
前記プロセッサが、分配システムと電気通信して、前記分配システムに前記光増感剤を前記目標領域に分配させ、前記ケラチン繊維の少なくとも一部分を前記光増感剤でコーティングする、請求項２５に記載の光ベースシステム。
【請求項２７】
前記目標領域内の前記ケラチン繊維に物理的な力を適用して、前記ケラチン繊維を前記第１の物理的状態から前記第２の物理的状態に移動させるように構成された美容デバイスをさらに含む、請求項２５に記載の光ベースシステム。
【請求項２８】
前記美容デバイスが、加熱要素を含む、請求項２７に記載の光ベースシステム。
【請求項２９】
前記美容デバイスが、冷却要素を含む、請求項２７に記載の光ベースシステム。
【請求項３０】
美容デバイスが、
ヒンジから延びる一対のハンドルであって、第１のハンドルおよび第２のハンドルを含む、一対のハンドルと、
前記第１のハンドルの内面に取り付けられた第１の伝導性要素と、
前記第２のハンドルの内面に取り付けられた第２の伝導性要素と、
前記第１の伝導性要素および前記第２の伝導性要素と接触する少なくとも１つの加熱要素と、
前記光増感剤を前記目標領域に分配するように構成された少なくとも１つの流体分配ポートと、
前記目標領域に電磁放射を適用するように構成された少なくとも１つの光分配ポートと、
を含み、
前記プロセッサが、前記少なくとも１つの加熱要素と電気通信し、前記第１の伝導性要素および前記第２の伝導性要素の温度を上昇させるようにプログラムされている、請求項２５に記載の光ベースシステム。
【請求項３１】
美容デバイスが、
外面および中空中心を有する熱伝導体と、
前記熱伝導体を加熱するように構成された前記中空中心内に配設された少なくとも１つの加熱要素と、
前記熱伝導体に結合されたハンドルと、
前記熱伝導体に旋回可能に接続されたクランプであって、開位置と閉位置との間で移動可能であり、前記クランプは、前記クランプが前記閉位置にあるときに前記熱伝導体の表面上に載るように構成されている、クランプと、
前記光増感剤を前記目標領域に送達するように構成された少なくとも１つの流体分配ポートと、
前記目標領域に電磁放射を適用するように構成された少なくとも１つの光分配ポートと、
を含み、
前記プロセッサが、前記少なくとも１つの加熱要素と電気通信し、前記少なくとも１つの加熱要素の温度を上昇させる、請求項２５に記載の光ベースシステム。
【請求項３２】
美容デバイスが、
気流軸を画定するために入口から出口まで延びる細長いハウジングと、
前記細長いハウジング内に位置しており、前記入口を通じて空気を前記細長いハウジングに引き込み、前記出口を通じて空気を目標領域に押しやる、ファンと、
前記ハウジング内に配設された少なくとも１つの加熱要素と、
前記光増感剤を前記目標領域に分配するように構成された少なくとも１つの流体分配ポートと、
前記目標領域に電磁放射を適用するように構成された少なくとも１つの光分配ポートと、を含み、
前記プロセッサが、前記少なくとも１つの加熱要素と電気通信し、前記加熱要素に前記気流軸を通る気流の温度を上昇させる、請求項２５に記載の光ベースシステム。
【請求項３３】
美容デバイスが、
第１の端部から第２の端部まで延びるハンドルと、
前記ハンドルの外面から延びる少なくとも１つのフィラメントであって、前記活性化システムの前記光源が、前記少なくとも１つのフィラメントに、電磁放射を前記目標領域に適用させるように構成されている、少なくとも１つのフィラメントと、
を含む、請求項２５に記載の光ベースシステム。
【請求項３４】
美容デバイスが、
第１の端部から第２の端部まで延びるハンドルと、
前記第２の端部に構成された多孔質媒体と、
前記目標領域に電磁放射を適用するように構成された少なくとも１つの光分配ポートと、
を含む、請求項２５に記載の光ベースシステム。
【請求項３５】
美容デバイスが、
前記光増感剤を受容するように構成された収容器と、
塗布器ヘッドとハンドルとの間に延びるステムを含む塗布器であって、前記ハンドルが、前記収容器の上面に取り外し可能に結合されるように構成され、前記ステムが、前記収容器内に配置されるように構成されている、塗布器と、
前記塗布器ヘッドの外面から延びる少なくとも１つのフィラメントであって、前記活性化システムの前記光源が、前記少なくとも１つのフィラメントに、電磁放射を前記目標領域に適用させるように構成されている、少なくとも１つのフィラメントと、
を含む、請求項２５に記載の光ベースシステム。
【請求項３６】
前記光増感剤が、ゲルに懸濁または溶解される、請求項３５に記載の光ベースシステム。
【請求項３７】
前記ゲルが、外因性繊維をさらに含む、請求項３６に記載の光ベースシステム。
【請求項３８】
前記光増感剤が、液体溶液に溶解される、請求項３７に記載の光ベースシステム。
【請求項３９】
前記液体溶液が、外因性繊維をさらに含む、請求項３８に記載の光ベースシステム。
【発明の詳細な説明】
【技術分野】
【０００１】
関連出願の相互参照
この出願は、２０１７年６月２２日に出願された米国仮特許出願第６２／５２３，７３４号、２０１７年６月２３日に出願された米国仮特許出願第６２／５２３，９９４号、および２０１７年９月１３日に出願された米国仮特許出願第６２／５５８，０１６号に基づいており、その利益を主張し、その全体を参照により本明細書に組み込む。
【背景技術】
【０００２】
美容および化粧品の分野では、消費者は毛髪をスタイリングするためのより効率的な製品およびより効果的なツールを常に求めている。そのような製品は、消費者がストレートまたは巻き毛などのスタイルをより簡単に達成できるようにし得る一方で、ボリューム、弾力性、および／または維持性の改善も提供する。
【０００３】
現在、多くの毛髪を成形するツールおよび製品が市場に出回っており、これらは一般に一時的な成形方法と恒久的な成形方法とで区別される。これらの方法はそれぞれ、毛髪内に存在する分子間相互作用を乱し、再組織することに依存している。例えば、毛髪は通常、コイルドコイル二次構造で構成されたα−ケラチン繊維などの繊維状タンパク質を含む。アミノ酸側鎖間の分子間相互作用（すなわち、水素結合、クーロン相互作用など）および繊維間の共有ジスルフィド結合は、毛髪に存在するタンパク質の二次構造を規定する。毛髪の高分子構造の変化（すなわち、巻き毛からストレート）は、これらの安定化力を乱すことで達成することができる。
【０００４】
一時的な成形方法は通常、熱を加えることで毛髪に存在する安定化力を乱す。熱は、しばしば、繊維状タンパク質間の分子間相互作用を乱すのに十分な温度で、ブロードライヤーまたはフラットアイロンなどの装置を通して加えられる。十分な温度は、通常、華氏２００〜５００度の範囲である。一時的な成形方法の間、熱を毛髪に加えながら、同時に毛髪を所望の形状に伸張またはカールさせる。次に、熱を除去し、毛髪を所望の形状で冷却して、繊維状タンパク質間で分子間相互作用を再形成させることができ、これにより、新しい形状を保持する。一時的な成形方法はまた、ワックス、ジェル、またはポマードなどの毛髪固定ポリマーを毛髪に塗布することを含んでもよい。一時的な成形方法の欠点は、風、湿度、または水との接触などの外力にさらされると、毛髪が元の形状に戻ることである。さらに、高温で加熱すると、毛髪に損傷を与える可能性がある。
【０００５】
いわゆる「恒久的な」成形方法は通常、化学反応を使用して毛髪に存在する安定化力を乱す。特に、恒久的な成形方法では、強力な還元剤を使用して、例えばα−ケラチン繊維に存在する強力なジスルフィド結合を破壊し、続いて中和ステップ（すなわち、過酸化水素の適用）によって、所望の形状のジスルフィド結合を再形成する。処置は通常、ＮａＯＨなどのアルカリ性水酸化物を含む高ｐＨ溶液を毛髪に適用して、ジスルフィド結合の減少を誘発することを含む。他の強力な還元剤には、ホルムアルデヒド、グリコール酸、およびチオグリコール酸が含まれる。恒久的な成形方法の欠点は、手順が、時間を要し、苛性化学物質への暴露のために毛髪に損傷を与える可能性があることである。さらに、消費者が、例えば、巻き毛からストレートの毛髪に戻すことを望む場合、手順を繰り返さなければならないか、毛髪を成長させて処置された毛髪に取って代わらなければならない。還元剤への過剰暴露は、毛髪の健全性をさらに悪化させる。
【０００６】
したがって、毛髪を成形する、または、身体の他の部分に審美的処置を提供して、個人に新しい、しかしフレキシブルな制御を提供するための、新しいシステムおよび方法を提供することが望ましい。さらに、熱または潜在的に有害な化学物質なしで毛髪を成形かつ処置するための新しいシステムおよび方法を提供することが望ましい。
【発明の概要】
【０００７】
本開示の一態様によれば、美容処置を実施するための方法が提供される。方法は、対象のケラチン繊維に、ケラチン繊維が第１の物理的状態にある間に光増感剤を適用するステップと、ケラチン繊維および光増感剤を、ケラチン繊維に光架橋または光活性化を起こすために選択された電磁放射に供して、ケラチン繊維を第１の物理的状態とは異なる第２の物理的状態に移行させるステップと、を含む。
【０００８】
本開示の別の態様によれば、ケラチン繊維を処置および成形するための光ベースシステムが提供される。光ベースシステムは、容器を含む流体供給システムを含む。容器は、光増感剤を収容するように構成されている。容器はさらに、流体出口と流体連通しており、流体出口は、ケラチン繊維を含む目標領域に光増感剤を分配するように構成されている。光ベースシステムは、１つ以上の光源を備えて構成された活性化システムを含む。光源は、目標領域に電磁放射を適用するように構成されている。光ベースシステムは、メモリを有し、活性化システムと電気通信するように構成された、プロセッサをさらに含む。プロセッサは、ケラチン繊維が第１の物理的状態から第２の物理的状態に移行するように、ケラチン繊維に光架橋を起こすために選択された目標領域に電磁放射を適用するストアプログラムを実行するように構成される。
【０００９】
本開示の別の態様によれば、美容処置を実施する方法が提供される。この方法は、第１の物理的状態の対象内のケラチン繊維に光増感剤を適用するステップを含む。この方法は、ケラチン繊維に光架橋を起こしてケラチン繊維を第１の物理的状態とは異なる第２の物理的状態に移行させるように選択された電磁放射にケラチン繊維および光増感剤を供するステップをさらに含む。
【００１０】
本発明の前述および他の態様および利点は、以下の説明から明らかになるであろう。説明では、本明細書の一部を形成し、本発明の好ましい実施形態を例示として示す添付図面を参照する。そのような実施形態は必ずしも本発明の全範囲を表すものではなく、したがって、本発明の範囲を解釈するために特許請求の範囲および本明細書を参照する。
【００１１】
以下、本発明を添付の図面を参照して説明するが、類似の参照番号は類似の要素を示す。
【図面の簡単な説明】
【００１２】
【図１】本開示の一態様による、美容処置を実施するための方法のステップを示すフローチャートである。
【図２】本開示の一態様による、美容処置を実施するための方法を実施するように構成された光ベースシステムのブロック図である。
【図３】本開示の一態様による、美容処置を実施するための方法を実施するように構成された例示的な美容デバイスである。
【図４】本開示の一態様による、美容処置を実施するための方法を実施するように構成された例示的な美容デバイスである。
【図５】本開示の一態様による、美容処置を実施するための方法を実施するように構成された例示的な美容デバイスである。
【図６】本開示の一態様による、美容処置を実施するための方法を実施するように構成された例示的な美容デバイスである。
【図７】本開示の一態様による、美容処置を実施するための方法を実施するように構成された例示的な美容デバイスである。
【図８】本開示の一態様による、美容処置を実施するための方法を実施するように構成された例示的な美容デバイスである。
【図９】本開示の一態様による、美容処置を実施する前の対象の毛髪の画像の非限定的な実施例である。
【図１０】美容処置後の図９の対象の毛髪、および複数回洗浄への曝露後の美容処置の保持の非限定的な実施例を示す一連の画像である。
【図１１】本開示の一態様による、美容処置を実施する前の対象の毛髪の画像の非限定的な実施例である。
【図１２】美容処置後の図１１の対象の毛髪の画像である。
【図１３】対象の毛髪、および複数回洗浄への暴露後の美容処置の保持の非限定的な実施例を示す一連の画像である。
【発明を実施するための形態】
【００１３】
本明細書では、対象のケラチン繊維を処置または成形するなどの美容処置を実施するための方法、システム、およびキットが記載される。例示的なケラチン繊維は、例えば、対象の毛髪または爪に見られるケラチン繊維であり得る。一般に、本明細書に記載の方法は、ケラチン繊維が第１の物理的状態にある間に、対象のケラチン繊維に光増感剤を適用するか、そうでなければ投与するステップと、ケラチン繊維を適切な波長、エネルギー、および持続時間の電磁放射に供して、ケラチン繊維を第１の物理的状態とは異なる第２の物理的状態に移行させるステップと、を含む。本明細書で使用される場合、「物理的状態」という用語は、対象内のケラチン繊維の測定可能な特性を指す場合がある。ケラチン繊維の例示的な物理的状態には、対象の毛髪または爪の質量、長さ、密度、厚さ、空間的配向、体積、引張強度、および／または色が含まれ得るが、これらに限定されない。
【００１４】
本明細書で使用される場合、「成形」という用語は、ケラチン繊維に美容処置を実施して、例えば、対象の毛髪または爪の物理的外観を変化させることを指し得る。ケラチン繊維の成形は、対象の関心領域のケラチン繊維に光増感剤を適用するか、さもなければ投与することと、適切な波長、エネルギー、および持続時間の電磁放射をケラチン繊維に照射して、ケラチン繊維に光架橋を起こすことと、を含むことができ、これにより、ケラチン繊維を第１の物理的状態から第２の物理的状態に変形させる。本開示のいくつかの態様では、ケラチン繊維を第１の物理的状態から第２の物理的状態に物理的に変形させるのを支援するために、美容デバイス（例えば、ブラシ、ヘアドライヤー、カーリングアイロン、矯正アイロン、ネイル塗布器）が使用される。本開示の一態様では、ケラチン繊維を第１の物理的状態から第２の物理的状態に変えることは、ケラチン繊維の空間的配向を変えることと、ケラチン繊維が第２の物理的状態にある間に光架橋し、第２の物理的状態の空間的配向を一定期間保持することと、を含む。ケラチン繊維の空間的配向を変えることは、対象の毛髪をストレートから巻き毛に、巻き毛からストレートに、そしてそれらの間の空間的配向を変化させることを含んでもよい。
【００１５】
本明細書で使用される場合、「保持する」という用語は、一般に、ケラチン繊維の第２の物理的状態（例えば、巻き毛またはストレート）を一定期間維持することを指す。そのような一定期間は、ケラチン繊維が異なる物理的状態に配置されるまで、少なくとも数時間または無期限に伸びるなど、毛髪の用途に適した期間であってもよい。例えば、一定期間は、多数回洗浄に基づいて測定されてもよく、ケラチン繊維の第２の物理的状態は、水または石鹸水に浸漬かつ攪拌（例えば、擦り洗浄）された後、実質的に保持されてもよい。本開示のいくつかの態様では、ケラチン繊維の少なくとも一部分は、第２の物理的状態の少なくとも１０％が多数回洗浄後に保持される一定期間にわたって第２の物理的状態を保持することができ、または第２の物理的状態の少なくとも２０％、または第２の物理的状態の少なくとも３０％、または第２の物理的状態の少なくとも４０％、または第２の物理的状態の少なくとも５０％、または第２の物理的状態の少なくとも６０％、または第２の物理的状態の少なくとも７０％、または第２の物理的状態の少なくとも８０％、または第２の物理的状態の少なくとも９０％、または第２の物理的状態の少なくとも９５％、またはそれ以上が、１回の洗浄、または２回の洗浄、または３回の洗浄、または４回の洗浄、または５回の洗浄、または６回の洗浄、または７回の洗浄、または８回の洗浄、または９回の洗浄、または１０回の洗浄、またはそれ以上などの多数回洗浄に暴露した後に保持されている。
【００１６】
１つの非限定的な例示的な実施例として、多数回洗浄後の第２の物理的状態（例えば、巻き毛またはストレートの毛髪）の空間的配向の相対的保持は、以下の手順を使用して監視され得る。最初に、第２の物理的状態の毛束を関心領域から抽出することができる。次に、毛束の一端をある場所に固定し、毛束を実質的に直線状になるまで伸張することができる。静止状態と伸張状態との間の長さの変位が記録される。次に、毛束を水または石鹸水で洗浄し、乾燥させ、測定を繰り返す。次に、洗浄前の変位測定値を洗浄後の変位測定値と比較することにより、第２の物理的状態の相対的保持を記録することができる。
【００１７】
本開示のいくつかの態様では、ケラチン繊維を第１の物理的状態から第２の物理的状態に変えることは、対象の毛髪または爪の質量、長さ、密度、厚さ、体積、引張強度、および／または色を増加させることを含んでもよい。いくつかの形態では、ケラチン繊維を第１の物理的状態から第２の物理的状態に変える前に、外因性繊維（例えば、繊維状タンパク質または合成繊維）を関心領域に追加してもよい。例えば、電磁放射を目標領域に適用する前に、外因性繊維を光増感剤溶液と目標領域のケラチン繊維に加えることができる。代替的または追加的に、外因性繊維は、固体、例えば粉末として、またはヘアエクステンションの形態で適用されてもよい。次に、電磁放射を目標領域に適用して、ケラチン繊維が第１の物理的状態から第２の物理的状態に変形されるように、関心領域における繊維状タンパク質とケラチン繊維との間で光架橋を起こすことができる。ケラチン繊維の第２の物理的状態は、ケラチン繊維の第１の物理的状態よりも大きい質量、平均直径、体積、密度、引張強度、または長さを有することができる。他の態様では、ケラチン繊維の第２の物理的状態は、第１の物理的状態の色とは異なる色を含んでもよい。
【００１８】
適切な外因性線維状タンパク質は、ケラチン、コラーゲン、合成繊維、人工毛髪、毛髪、それらの誘導体および混合物を含むことができる。非限定的な一実施例では、合成繊維は、塩化ビニル、モダクリル、塩化ビニリデン、ポリエステル、ナイロン、それらの誘導体および混合物を含む。外因性繊維状タンパク質または合成繊維は、粉末またはヘアエクステンションの形態であってもよい。美容処置の例示的な使用には、繊維状タンパク質を対象の爪に光架橋させて爪の密度を高めることを含んでもよい。同様に、繊維状タンパク質を対象の毛髪に光架橋させて、薄化領域を厚くし、または、長さを増やす（すなわち、ヘアエクステンションを取り付ける）ことができる。従前のヘアエクステンション方法では、ケラチンベースの接着剤、熱、または超音波を使用してエクステンションを実施する必要がある。これらの従前の方法では、さらに長時間（すなわち、３〜４時間）および広範なメンテナンスが必要である。従前の方法とは異なり、本開示は、熱または潜在的に有害な化学物質を追加することなく実施される、より安全でより速い適用時間を提供する。例えば、繊維状タンパク質は、約３０分、または１５分、または１０分、または５分、または２分、または１分未満の適用時間で目標領域のケラチン繊維に光架橋されてもよい。本開示のいくつかの態様では、外因性繊維は、生体適合性緩衝液または溶液に０．０１％（ｗ／ｗ）、または０．０５％（ｗ／ｗ）、または０．１％（ｗ／ｗ）、または０．５％（ｗ／ｗ）、または１％（ｗ／ｗ）、または２％（ｗ／ｗ）、または３％（ｗ／ｗ）、または４％（ｗ／ｗ）、または５％（ｗ／ｗ）、または６％（ｗ／ｗ）、または７％（ｗ／ｗ）、または８％（ｗ／ｗ）、または９％（ｗ／ｗ）、または１０％（ｗ／ｗ）、またはそれ以上の外因性繊維対溶液の濃度で懸濁または溶解することができる。
【００１９】
繊維状タンパク質は、ブロンド、ブルネット、ブラウン、ブラック、レッド、グレー、プラチナなどの色を含んでもよい。繊維状タンパク質は、目標領域のケラチン繊維に光架橋して、目標領域の色を変えることができる。
【００２０】
本開示のいくつかの態様では、ケラチン繊維が第１の物理的状態にある間に関心領域からケラチン繊維を外植し、測定を実施し、ケラチン繊維が第２の物理的状態にある間に関心領域からケラチン繊維を外植し、測定を実施し、第１の物理的状態と第２の物理的状態との間の測定値の変化を監視することで、第１の物理的状態に対する第２の物理的状態の保持を測定することができる。本開示のいくつかの態様では、ケラチン繊維の少なくとも一部分は、第２の物理的状態の少なくとも１０％が第１の物理的状態に関連して保持される一定期間にわたって第２の物理的状態を保持することができ、または第２の物理的状態の少なくとも２０％、または第２の物理的状態の少なくとも３０％、または第２の物理的状態の少なくとも４０％、または第２の物理的状態の少なくとも５０％、または第２の物理的状態の少なくとも６０％、または第２の物理的状態の少なくとも７０％、または第２の物理的状態の少なくとも８０％、または第２の物理的状態の少なくとも９０％、または第２の物理的状態の少なくとも９５％、またはそれ以上が、一定期間、例えば１日、または１週間、または２週間、または３週間、または４週間、または１か月、または２か月、または３か月、または４か月、または５か月、または６か月、または７か月、または８か月、または９か月、または１０か月、または１１か月、または１年、またはそれ以上、第１の物理的状態に関連して保持されている。第１の物理的状態から第２の物理的状態への物理的状態の変化を監視するための適切な測定は、ケラチン繊維の重量測定、体積変位測定、比色測定、長さ測定、および／または引張強度測定を含む。
【００２１】
代替的または追加的に、ケラチン繊維の物理的状態はまた、疾患の識別可能な状態、または疾患を示す化学種の濃度に関連する場合がある。例えば、爪の疾患（例えば、爪甲症）は、感染または炎症の兆候に基づいて特定することができる。例示的な物理的状態には、爪の変色（例えば、黄変、褐変、および赤み）、爪の形状および模様（爪のクラビングの程度、匙状爪、乾癬によるくぼみ、ボー線条）、ならびに爪の順応性（鉄濃度、葉酸、タンパク質、ビタミンＣ欠乏に関連する分裂および綻びによって測定される脆性）も含まれ得るが、これらに限定されない。
【００２２】
本明細書で使用される場合、「処置する」という用語は、美容上の処置を実施して治療的変化を誘発することに関する場合がある。本開示のいくつかの態様では、処置有効量または薬学的に適切な用量の光増感剤が、関心領域のケラチン繊維に適用され、かつ、ケラチン繊維に適切な波長、持続時間、強度の電磁放射を照射して、研究者、獣医、医師、または他の臨床医が探している対象、組織、または細胞の生物学的または医学的反応を引き出す。本開示のいくつかの態様では、生物学的または医学的反応は、光増感剤を光活性化することにより引き出される。本開示のいくつかの態様では、ケラチン繊維を第１の物理的状態から第２の物理的状態に変えることは、疾患の識別可能な状態の程度または強度あるいは疾患を示す化学種の濃度を下げること、例えば、対象の爪の中の真菌の量を減らすこと、または対象の毛髪のシラミの量を減らすことを含んでもよい。本明細書で使用される「対象」という用語は、人間の対象、およびイヌ、ネコ、ウサギ、ウマ、ウシ、ブタなどの家畜の大小動物を含む他の動物対象の両方を指す場合がある。
【００２３】
本明細書で使用される場合、「光活性化」は、電磁放射の形態のエネルギーが光増感剤などの化合物によって吸収されるプロセスを説明するために使用される。電磁放射は、可視範囲または電磁スペクトルの一部分、あるいはスペクトルの紫外および赤外領域の波長を有するエネルギー、例えば光を含むことができる。化学エネルギーは、一重項酸素、スーパーオキシドアニオン、ヒドロキシルラジカル、光増感剤の励起状態、光増感剤フリーラジカル、または基質フリーラジカル種などの反応種の形態をとることができる。本明細書に記載される光活性化プロセスは、吸収されたエネルギーの熱エネルギーへの実質的な伝達を伴う場合がある。好ましくは、光活性化は、摂氏１５度未満の温度上昇、または摂氏１０度未満の上昇、または摂氏３度未満の上昇、または摂氏２度未満の上昇、あるいは、例えば、照射中に目標領域を見る画像サーマルカメラによって測定された摂氏１度未満の温度上昇で発生する。カメラは、元の色素沈着の領域、例えばケラチン繊維を含む目標領域、または色素が拡散する目標領域にすぐ隣接する領域に焦点を合わせることができる。
【００２４】
本開示のいくつかの態様では、「光増感剤」という用語は、光活性化などのプロセスによって電磁放射を吸収して、ケラチン繊維と別の高分子間または個々のケラチン繊維の２つの異なる部分間の共有結合の形成を起こす化学部分を含む。
【００２５】
ここで特に図１を参照すると、美容処置１００を実施する例示的な方法が示されている。この方法は、対象のケラチン繊維に光増感剤１０２を適用するか、そうでなければ投与するステップを含む。光増感剤は、例えば、スプレーボトルを使用して、手動で適用１０２されてもよい。代替的または追加的に、光増感剤は、例えば、ポンプ、ノズル、流体供給タンク、ならびに流量および分配速度を調節する制御ユニットを使用する流体分配システムを使用して適用１０２されてもよい。光増感剤は、生体適合性緩衝液または溶液、例えば生理食塩水に溶解し、０．１ｍＭ〜１０ｍＭ、または０．５ｍＭ〜５ｍＭ、または１ｍＭ〜３ｍＭの濃度で使用することができる。あるいは、光増感剤は、ヒドロゲルまたはシリコーンゲルなどのゲル内に溶解または懸濁されてもよい。ケラチン繊維は、対象の外面または内面に適用されてもよい。ケラチン繊維の少なくとも一部分を覆うのに十分な量の光増感剤を適用してもよい。例えば、少なくとも１０μＬの光増感剤溶液、または５０μＬ、１００μＬ、２５０μＬ、５００μＬ、または１ｍｌ以上を目標領域に適用することができる。いくつかの態様では、光増感剤は、生体適合性緩衝液または溶液に０．０１％（ｗ／ｗ）、または０．０５％（ｗ／ｗ）、または０．１％（ｗ／ｗ）、または０．５％（ｗ／ｗ）、または１％（ｗ／ｗ）、または２％（ｗ／ｗ）、または３％（ｗ／ｗ）、または４％（ｗ／ｗ）、または５％（ｗ／ｗ）、または６％（ｗ／ｗ）、または７％（ｗ／ｗ）、または８％（ｗ／ｗ）、または９％（ｗ／ｗ）、または１０％（ｗ／ｗ）、またはそれ以上の光増感剤対溶液の濃度で溶解することができる。
【００２６】
次に、電磁放射は、ケラチン繊維および光増感剤に適用１０４されてもよい。電磁放射は、適切な波長、エネルギー、および持続時間で適用１０４されてもよく、光増感剤にケラチン繊維に光架橋を起こし、それによりケラチン繊維を第１の物理的状態から第２の物理的状態に変形させる。本開示のいくつかの態様では、電磁放射は、治療上有効量、または薬学的に適切な用量で適用１０４されてもよく、関心領域の疾患または状態を処置する生物学的または医学的反応を引き出し、それによってケラチン繊維を第１の物理的状態から第２の物理的状態に変形させる。いくつかの態様では、美容デバイスを使用して、力または／およびまたは温度の変化などを適用することにより、ケラチン繊維２０６を第１の物理的状態から第２の物理的状態に成形するのを支援することができる。これは、例えば、ケラチン繊維への電磁放射の適用前または適用中に、ブラシまたはカーリングアイロンを使用して毛髪を成形することを含んでもよい。電磁放射は、ケラチン繊維上で光架橋を起こすため、または光活性化を誘発して疾患または状態を処置するためなど、反応を引き出すために選択された持続時間１０８の間適用され得る。例えば、照射の持続時間は約１秒〜３０分であり得る。他の態様では、照射の持続時間は、約１秒〜３０秒、または３０秒〜２分、または２分〜５分、または５分を超える範囲である。光の波長は、光増感剤の吸収に対応し、かつ光増感剤と接触したケラチン繊維の領域に到達するように、例えば、光増感剤が存在する領域に浸透するように選択できる。光源は、２０００Ｊ／ｃｍ２未満、または５０〜２００Ｊ／ｃｍ２の放射エネルギーで電磁放射を適用するように構成できる。いくつかの態様では、光源は、６０〜１２０Ｊ／ｃｍ２、または８０〜１００Ｊ／ｃｍ２の放射エネルギーで電磁放射を適用するように構成されてもよい。光増感剤の光活性化を達成するために必要な電磁放射は、約３５０ｎｍ〜約８００ｎｍ、または約４００〜７００ｎｍの波長を有することができ、可視、赤外または近紫外スペクトル内であってもよい。エネルギーは、約０．１〜５Ｗ／ｃｍ２、または約０．５〜２Ｗ／ｃｍ２の放射照度で送達できる。
【００２７】
いくつかの態様では、第２の物理的状態は、一時的な変形、半恒久的な変形、または恒久的な変形の範囲に調整可能であってもよい。毛髪の文脈において、変形が一時的であるか恒久的であるかを判断することは、水を使用した多数回洗浄などの水分にさらされた後の毛髪の変化に対する抵抗として測定することができる。一時的な変形は、１回の洗浄にさらされた後、第２の物理的状態から第１の物理的状態に戻るケラチン繊維として定義できる。恒久的な変形は、１０回の洗浄にさらされた後、第２の物理的状態から第１の物理的状態に戻らないケラチン繊維として定義できる。半恒久的な変形は、これらの境界内に収まる。変形の状態は、例えば、目標領域に適用される電磁放射の波長、エネルギー、または持続時間を変更することによって調整することができる。あるいは、目標領域の光増感剤の濃度を変化させることにより、変形の状態を調整することができる。いくつかの態様では、光ベースシステム１００は、ケラチン繊維の第２の物理的状態が少なくとも１回の洗浄、少なくとも２回の洗浄、少なくとも３回の洗浄、少なくとも４回の洗浄、少なくとも５回の洗浄、少なくとも６回の洗浄、少なくとも７回の洗浄、少なくとも８回の洗浄、少なくとも９回の洗浄、または少なくとも１０回の洗浄に耐性があるように、ケラチン繊維の光架橋を起こすことができる。
【００２８】
１つの非限定的な実施例の方法では、光増感剤を含むゲルを対象のまぶたに適用または投与することができる。次に、マスカラブラシなどの美容デバイスを使用して、対象のまつげをゲルにブラシでかけ、対象のまつげ内に位置するケラチン繊維を光増感剤と接触させることができる。あるいは、ゲルは、光増感剤なしで適用または投与されてもよく、光増感剤は、上記の方法のいずれかによって対象のまつげに手動で適用されてもよい。対象のまつげは、ゲルに密着するように構成されていてもよく、ケラチン繊維を光増感剤と接触させる前に、さらなる処置のためにまつげを引き離してもよい。次に、光源が対象のまつげに電磁放射を適用してケラチン繊維に光架橋を起こし、それによりケラチン繊維を第１の物理的状態から第２の物理的状態に変形させることができる。処置中に保護カバーを使用して、電磁放射が目に入らないようにすることができる。別の非限定的な実施例では、美容デバイスを使用して、光増感剤を含むゲルを対象のまつげにブラシで塗る。対象のまつげは、処置前に対象のまぶたに密着させても、引き離されてもよい。適切なゲルには、ヒドロゲル、シリコーンゲルなどが含まれる。いくつかの態様では、ゲルは、ケラチン繊維への電磁放射の送達を支援するための光導波路として機能することができる。例えば、シリコーンゲルは、電磁放射を反射し、電磁放射をケラチン繊維に導く反射ベースを含んでもよい。
【００２９】
適切な光増感剤には、ローズベンガル（ＲＢ）などのフルオレセイン（例えば、４，５，６，７−テトラクロロ−２´、４´、５´、７´−テトラヨードフルオレセインまたはその誘導体）、リボフラビン（例えば、７，８−ジメチル−１０−［（２Ｓ、３Ｓ、４Ｒ）−２，３，４，５−テトラヒドロキシペンチル］ベンゾ［ｇ］プテリジン−２，４−ジオンまたはその誘導体）、リボフラビン−Ｓ−リン酸（Ｒ−５−Ｐ）、メチレンブルー（ＭＢ）、ならびにＮ−ヒドロキシピリジン−２−（１Ｈ）−チオン（Ｎ−ＨＴＰ）、それらの誘導体および混合物が含まれるが、これらに限定されない。
【００３０】
流体供給システム１０４で使用することができる感光性化合物の他の実施例には、例えば、フォトフリン（登録商標）、合成ジポルフィリンおよびジクロリン、金属置換基を伴うかまたは伴わないフタロシアニン、様々な置換基を伴うかまたは伴わないクロロアルミニウムフタロシアニン、Ｏ−置換テトラフェニルポルフィリン、３，１−メソテトラキス（ｏ−プロピオンアミドフェニル）ポルフィリン、ヴェルディン、プルプリン、オクタエチルプルプリンのスズおよび亜鉛誘導体、エチオプルプリン、ハイドロポルフィリン、テトラ（ヒドロキシフェニル）ポルフィリンシリーズのバクテリオクロリン（例えば、プロトポルフィリンＩからプロトポルフィリンＩＸ、コプロポルフィリン、ウロポルフィリン、メソポルフィリン、ヘマトポルフィリンおよびサフィリン）、クロリン、クロリンｅ６、クロリンｅ６のモノ−１−アスパルチル誘導体、クロリンｅ６のジ−１−アスパルチル誘導体、スズ（ＩＶ）クロリンｅ６、メタテトラヒドロキシフェニルクロリン、ベンゾポルフィリン誘導体、ベンゾポルフィリン一酸誘導体、ベンゾポルフィリンのテトラシアノエチレン付加物、ベンゾポルフィリンのアセチレンジカルボン酸ジメチル付加物、ディールス・アドラー付加体、ベンゾポルフィリンの一酸環「ａ」誘導体、スルホン化アルミニウムＰＣ、スルホン化ＡｌＰｃ、ジスルホン化、テトラスルホン化誘導体、スルホン化アルミニウムナフタロシアニン、金属置換基を伴うかまたは伴わない、および様々な置換基を伴うかまたは伴わないナフタロシアニン、クロロフィル、バクテリオクロロフィルＡ、アントラセンジオン、アントラピラゾール、アミノアントラキノン、フェノキサジン染料、チアジン、メチレンブルー、フェノチアジン誘導体、カルコゲナピリリウム色素、カチオン性セレナおよびテルラピリリウム誘導体、環置換カチオン性ＰＣ、フェオフォルバイド誘導体、天然に存在するポルフィリン、ヘマトポルフィリン、ＡＬＡ誘発プロトポルフィリンＩＸ、内因性代謝前駆体、５−アミノレブリン酸、ベンゾナフトポルフィラジン、カチオン性イミニウム塩、テトラサイクリン、ルテチウムテキサフィリン、テキサフィリン、錫エチオプルプリン、ポルフィセン、ベンゾフェノチアジニウム、キサンテン、ローズベンガル、エオシン、エリスロシン、シアニン、メロシアニン５４０、セレン置換シアニン、フラビン、リボフラビン、プロフラビン、キノン、アントラキノン、ベンゾキノン、ナフタルジイミド、ナフタルイミド、ビクトリアブルー、トルイジンブルー、ジアントロキノン（例えばヒペリシン）、フラーレン、ローダミンおよびその感光性誘導体のような、様々な感光性色素および生体分子が含まれる。
【００３１】
適切な繊維状タンパク質は、ケラチン、コラーゲン、合成繊維、人工毛髪、毛髪などを含むことができる。非限定的な一実施例では、合成繊維は、塩化ビニル、モダクリル、塩化ビニリデン、ポリエステル、ナイロン、およびそれらの混合物を含む。治療剤は、目標領域に適用する前に繊維状タンパク質に結合されてもよい。治療剤は、小分子薬、核酸構築物（すなわち、ｓｉＲＮＡ、アプタマー、リボザイム、アンチセンスオリゴヌクレオチドなど）、および抗体構築物を含んでもよい。非限定的な一実施例では、治療効果を提供するために、抗真菌薬を繊維状タンパク質に結合させることができる。例示的な抗真菌薬では、クロトリマゾール、エコナゾール、ケトコナゾール、ミコナゾール、チオコナゾール、テルビナフィン、アモロルフィンなどを含む。
【００３２】
光ベースシステム
【００３３】
ここで特に図２を参照すると、本明細書で提示される方法を実施し得る光ベースシステム２００の実施例が示されている。一般に、光ベースシステム２００は、様々な構成要素と電気通信するように構成されたプロセッサ２０２を含む。プロセッサ２０２は、流体供給システム２０４（任意で）および光活性化システム２０６のポンプまたは他の構成要素と通信してもよい。任意の流体供給システム２０４および光活性化システム２０６またはその構成要素は、有線、無線であろうと両方の組み合わせであろうと、任意の適切なネットワーク接続によってプロセッサ２０２に接続されてもよい。プロセッサ２０２は、市販のオペレーティングシステム上で実施される市販のプログラム可能なマシンを含む。すなわち、プロセッサ２０２は、プログラム可能な命令を保存したメモリ２０８を備えて構成される。プロセッサ２０２は、流体供給システム２０４および光活性化システム２０６と通信し、メモリ２０８に保存されたプログラム可能な命令に基づいてデータを処理し、命令を生成することができる。プロセッサ２０２は、入力パラメータが光ベースシステム２００に入力されることを可能にするユーザインターフェース２１０に結合されてもよい。ユーザインターフェース２１０は、スイッチもしくはボタン、またはスイッチもしくはボタンの集合であってもよい。また、ユーザインターフェース２１０は、ディスプレイまたはタッチスクリーンなどの他のインターフェース構成要素を含んでもよい。そのために、ユーザインターフェース２１０は結果を表示してもよい。
【００３４】
流体供給システム２０４は、流体出口２１４と流体連通する容器２１２を含むことができる。流体供給システム２０４は、光増感剤を含む流体を、流体出口２１４を通して対象の目標領域に向けて分配するように構成される。例えば、目標領域は、毛束または爪など、対象のケラチン繊維２１５を含むことができる。一態様では、任意の流体供給システム２０４は、プロセッサ２０２からの命令に応じて機能し、流体を流体出口２１２から対象の目標領域に分配する。プロセッサ２０２は、流体供給システム２０４内のポンプまたはバルブと通信することにより、流体の流量を調整することができる。いくつかの態様では、流体出口２１２は、円錐霧、フラットファン、または定常流などのスプレーパターンに流体を分配するためにノズルに結合される。あるいは、流体供給システム１０４の代わりに、ユーザは、スプレーボトル、シリンジ、または加圧容器などの手動分配システムを使用することができる。
【００３５】
光活性化システム２０６は、プロセッサ２０２からの命令に応じて機能し、対象の目標領域に電磁放射を適用するように構成された光源２１６を作動させる。適切な光源２１６には、市販のレーザ、ランプ、発光ダイオード、または他の電磁放射源が含まれる。光放射は、単色レーザビーム、例えばアルゴンレーザビームまたはダイオード励起固体レーザビームの形態で供給することができる。光はまた、光ファイバデバイスを介して非外面組織に供給することができ、例えば、光は、小さなゲージの皮下注射針または関節鏡に通した光ファイバによって送達できる。光はまた、光ファイバまたはカニューレを挿入した導波管を使用した経皮的器具によって伝達することができる。
【００３６】
いくつかの態様では、光ベースシステム１００は、美容デバイス１１８を含む。美容デバイス１１８は、ケラチン繊維に力を適用するなどして、ケラチン繊維を第１の物理的状態から第２の物理的状態に変えるのを支援するように構成される。美容デバイス１１８は、ケラチン繊維内の非共有相互作用を乱すことを支援する加熱要素１２０、または非共有相互作用の再形成を支援する冷却要素１２２を含むことができる。例えば、ケラチン繊維が対象の毛束の中に位置している場合、美容デバイス１１８は、カーリングアイロン、ヘアストレートナー、ブロードライヤー、マスカラブラシ、ヘアブラシなどを含んでもよい。ケラチン繊維が対象の爪内に位置している場合、美容デバイス１１８は、マニキュアブラシ、スポンジ塗布器などを含んでもよい。
【００３７】
一態様では、光ベースシステム１００は、水分および複数回洗浄に耐性のある特定の物理的外観を保持するために対象の毛髪を成形するのに有用であり得る。例えば、光ベースシステム１００を使用して、対象の毛髪内に位置しているケラチン繊維を変えて、第１の物理的状態、例えばストレートの毛髪から、第２の物理的状態、例えば巻き毛の毛髪に、またはその逆に変化させることができる。上述のように、美容デバイス１１８は、光架橋前に毛髪を成形するのを支援するために使用することができる。
【００３８】
光架橋には、毛髪を成形する従来の方法に比べていくつかの利点がある。第１に、本明細書に記載の方法は、熱を使用せずに、または熱による毛髪の損傷を避けるために十分に低い温度で実施することができる。第２に、非共有相互作用が乱れること、および再形成することに依存する従来の毛髪の成形方法とは異なり、本開示は、ケラチン繊維間およびケラチン繊維内で強力な共有結合を形成し、毛髪の保持および外力に対する耐性を改善する。
【００３９】
美容デバイス
【００４０】
ケラチン繊維の成形または処置を支援するために、光ベースシステム１００とともに様々な美容デバイス１１８を使用することができる。本開示のいくつかの態様では、美容デバイス１１８は、本明細書に記載の方法を実施するように構成されてもよい。以下に、様々なデバイスについて説明する。
【００４１】
図３を参照すると、本明細書に提示される方法を実施するように構成され得る美容デバイス３００の実施例が示されている。一般に、美容デバイス３００は、ヒンジ３０６から延びる第１のハンドル３０２および第２のハンドル３０４を含む。第１のハンドル３０２は、第１のハンドル３０２の第１の内面３１０に取り付けられた第１の伝導性要素３０８を含む。第２のハンドル３０４は、第２のハンドル３０４の第２の内面３１４に取り付けられた第２の伝導性要素３１２を含む。少なくとも１つの加熱要素は、第１の伝導性要素３０８および第２の伝導性要素３１２と接触して置かれてもよい。美容デバイス３００は、流体供給システム２０４と流体連通して置かれた少なくとも１つの流体分配ポート３１６を含むことができる。本開示のいくつかの態様では、流体供給システム２０４は、美容デバイス３００内に構成することができる。例えば、流体供給システム２０４は、第１のハンドル３０２または第２のハンドル３０４内に構成されてもよい。あるいは、流体供給システム２０４は、美容デバイス３００の外部に構成されてもよく、導管には、流体供給システム２０４と流体連通する分配ポート３１６を置いてもよい。分配ポート３１６は、光増感剤を目標領域に分配するように構成されてもよい。一態様では、目標領域は、第１の伝導性要素３０８と第２の伝導性要素３１２との間に位置している。
【００４２】
美容デバイス３００は、活性化システム１０６に対して構成された少なくとも１つの光分配ポート３１８を含む。活性化システム１０６の光源１１６は、少なくとも１つの光分配ポート３１８内に構成されて、目標領域に電磁放射を適用することができる。プロセッサ２０２は、第１の伝導性要素３０８および第２の伝導性要素３１２の温度を制御するために、少なくとも１つの加熱要素と電気通信するように置かれてもよい。本開示のいくつかの態様では、プロセッサ２０２は、美容デバイス３００内に構成される。
【００４３】
図４を参照すると、本明細書に提示される方法を実施するように構成され得る美容デバイス４００の実施例が示されている。美容デバイス４００は、外面と中空中心とを有する熱伝導体４０２を含む。熱伝導体４０２は、熱伝導体４０２を加熱するために中空中心内に配設された少なくとも１つの加熱要素を含むことができる。ハンドル４０４は、熱伝導体に対して構成され、ハンドル４０４は、実質的に熱を伝導しない材料で構成される。美容デバイス４００は、熱伝導体４０２に旋回可能に接続されたクランプ部材４０６をさらに含む。クランプ部材４０６は、開位置と閉位置との間を移動することができ、クランプ部材は、クランプ部材４０６が閉位置にあるときに熱伝導体４０２の外面上に載るように構成される。美容デバイスは、流体供給システム２０４と流体連通して置かれた少なくとも１つの流体分配ポート４０８を含むことができる。例えば、流体供給システム２０４は、ハンドル４０４内に構成されてもよい。あるいは、流体供給システム２０４は、美容デバイス４００の外部に構成されてもよく、導管は、流体供給システム２０４の流体出口２１４と流体連通する分配ポート４１６を置いてもよい。分配ポート４１６は、光増感剤を目標領域に分配するように構成されてもよい。一態様では、目標領域は、熱伝導体４０２とクランプ部材４０６との間に位置している。
【００４４】
美容デバイス４００は、活性化システム２０６に対して構成された少なくとも１つの光分配ポート４１０を含む。活性化システム２０６の光源２１６は、少なくとも１つの光分配ポート４１０内に構成されて、目標領域に電磁放射を適用することができる。プロセッサ２０２は、熱伝導体４０２の温度を制御するために、少なくとも１つの加熱要素と電気通信するように置かれてもよい。本開示のいくつかの態様では、プロセッサ２０２は、美容デバイス４００内に構成される。
【００４５】
図５を参照すると、本明細書に記載の方法を実施するように構成され得る美容デバイス５００の実施例が示されている。美容デバイス５００は、気流軸を画定するために入口５０４から出口５０６まで延びる細長いハウジング５０２を含む。美容デバイス５００は、細長いハウジング５０２内に位置するファンを含み、ファンは、入口５０４を通じて細長いハウジング５０２に空気を引き込み、出口５０６を通じて空気を目標領域に押しやるように構成される。いくつかの態様では、目標領域は気流軸に沿って画定される。細長いハウジング５０２は、ハウジング内に配設された少なくとも１つの加熱要素を備えて構成される。美容デバイス５００は、美容デバイスに構成された少なくとも１つの流体分配ポート５０８を含み、流体供給システム２０４と流体連通するように置かれた少なくとも１つの流体分配ポート５０８を含む。例えば、流体供給システム２０４は、細長いハウジング５０２に構成されたハンドル５１０内に構成されてもよい。あるいは、流体供給システム２０４は、美容デバイス５００の外部に構成されてもよく、導管は、流体供給システム２０４の流体出口２１４と流体連通する分配ポート５０８を置いてもよい。分配ポート５０６は、光増感剤を目標領域に分配するように構成されてもよい。
【００４６】
美容デバイス５００は、活性化システム２０６に対して構成された少なくとも１つの光分配ポート５１２を含む。活性化システム２０６の光源２１６は、少なくとも１つの光分配ポート５１２に対して構成されて、目標領域に電磁放射を適用することができる。プロセッサ２０２は、目標領域に送達される空気の温度を制御するために、少なくとも１つの加熱要素と電気通信するように置かれてもよい。本開示のいくつかの態様では、プロセッサ２０２は、美容デバイス５００内に構成される。
【００４７】
図６を参照すると、本明細書に記載の方法を実施するように構成され得る美容デバイス６００の実施例が示されている。美容デバイス６００は、第１の端部６０４から第２の端部６０６まで延びるハンドル６０２を含む。ハンドル６０２は、ハンドル６０２から、例えば、ハンドル６０２の外面から垂直に延びる少なくとも１つのフィラメント６０８を含む。少なくとも１つのフィラメント６０８は、活性化システム２０６の光源２１６に対して構成され、目標領域に電磁放射を適用する。例えば、少なくとも１つのフィラメント６０８は、電磁放射を目標領域に伝達し得る光ファイバまたは光ケーブルを含むことができる。他の態様では、フィラメントは、電磁放射を目標領域に伝達する光透過性材料を含んでもよい。活性化システム１０６は、ハンドル６０２内に位置する中空チャンバ内に構成されてもよい。本開示のいくつかの態様では、少なくとも１つのフィラメント６０８は、ゲルの形態であり得る光増感剤でコーティングされてもよい。次に、光増感剤は、少なくとも１つのフィラメント６０８を通して目標領域に移すことができる。美容デバイス６００は、美容デバイス６００（例えば、少なくとも１つのフィラメント６０８内）に構成された少なくとも１つの流体分配ポートを含むことができ、流体供給システム２０４と流体連通するように置かれた少なくとも１つの流体分配ポートを含む。例えば、流体供給システム２０４は、ハンドル６０２内に構成されてもよい。あるいは、流体供給システム２０４は、美容デバイス６００の外部に構成されてもよく、導管は、流体供給システム２０４の流体出口２１４と流体連通する分配ポートを置いてもよい。分配ポートは、光増感剤を目標領域に分配するように構成されてもよい。
【００４８】
一態様では、目標領域は、少なくとも１つのフィラメント６０４からの距離であってもよく、この距離は、１ｃｍ、２ｃｍ、３ｃｍ、４ｃｍ、または５ｃｍ未満である。一態様では、活性化システム１０６は、ハンドルの中空中心内に構成されてもよい。
【００４９】
図７を参照すると、美容デバイス７００の実施例が示されている。美容デバイス７００は、第１の端部７０４から第２の端部７０６まで延びるハンドル７０２を含む。第２の端部７０６は、多孔質媒体７０８に対して構成される。多孔質媒体は、水または水ベースの溶液などの、流体を吸収する材料で構成されている。例えば、多孔質媒体７０８は、セルロース木材繊維または発泡プラスチックポリマーを含むことができる。第２の端部７０６はさらに、活性化システム２０６に対して構成された少なくとも１つの光分配ポート５１２で構成される。活性化システム２０６の光源２１６は、少なくとも１つの光分配ポート５１２に対して構成されて、目標領域に電磁放射を適用することができる。多孔質媒体７０８を使用して、光増感剤溶液を吸収し、対象の爪などの目標領域のケラチン繊維に適用することができる。
【００５０】
図８を参照すると、美容デバイス８００の実施例が示されている。美容デバイス８００は、塗布器８０２と、光増感剤２０２を受容するように構成された収容器８０４とを含む。光増感剤２０２は、生理食塩水などの液体溶液に溶解することができる。あるいは、光増感剤２０２は、ヒドロゲルまたはシリコーンゲルなどのゲル内に溶解または懸濁されてもよい。塗布器８０２は、塗布器ヘッド８０８とハンドル８１０との間に延びるステム８０６を含む。ハンドル８１０は、例えば、ねじ山によって収容器８０４の上面に取り外し可能に結合されるように構成され、ステム８０６は、塗布器ヘッド８０８を光増感剤２０２と接触させるために、収容器８０４内に配設されるように構成される。少なくとも１つのフィラメント８１０は、塗布器ヘッド８０８の外面から延びるように構成される。少なくとも１つのフィラメント８１０は、活性化システム２０６の光源２１６に対して構成され、目標領域に電磁放射を適用する。例えば、少なくとも１つのフィラメント８１０は、電磁放射を目標領域に伝達する光ファイバまたは光ケーブルを含む。他の態様では、フィラメント８１０は、電磁放射を目標領域に伝達する光透過性材料を含んでもよい。
【００５１】
本明細書に記載のシステムおよび方法は、生体実験室への応用、生体に対する生体外および生体内ケラチン繊維治療を含む、様々な応用での使用に適している。この方法は、目標領域内のケラチン繊維が、光架橋または光活性化によって誘発される第１の物理的状態から第２の物理的状態に変える美容処置および応用に特に有用である。
【実施例】
【００５２】
以下の実施例は、システムを使用または実施する方法を詳細に説明し、当業者がその原理をより容易に理解できるようにするものである。以下の実施例は説明のために提示されており、決して限定することを意図したものではない。
【００５３】
実施例１：
実施例１では、光増感剤を使用して、対象の毛束の引張強度を増加させた。この実施例では、０．１％ローズベンガル溶液を毛束に塗布し、毛髪に緑色の光を照射した。単一負荷の毛髪を、洗浄せずに複数回洗浄した後、破断荷重（ニュートン）を測定した。洗浄手順には、毛髪のシャンプー、水での洗浄、毛髪のコンディショニング、および水での洗浄が含まれている。結果を以下に要約する。
【表１】
2020525092.tif 000003
【００５４】
実施例２：
実施例２では、光増感剤と外因性繊維を含む溶液を使用して、対象の毛髪に美容処置を行った。図９は、美容処置前の対象の毛髪の画像を示す。この実施例では、４％（ｗ／ｗ）ケラチンと０．１％（ｗ／ｗ）ローズベンガルの濃度のリン酸緩衝生理食塩水（ＰＢＳ）溶液を対象の毛髪に塗布し、毛髪は、熱または他の化学薬品を加えることなく、元の形状から巻き毛状態に物理的に変化した。次に、ある持続期間の間、毛髪に電磁放射を照射した。図１０は、処置１０１０の後、１回の洗浄１０２０の後、２回の洗浄１０３０の後、３回の洗浄１０４０の後、および４回の洗浄１０５０の後の対象の毛髪を示す一連の画像を示す。洗浄手順には、毛髪のシャンプーおよび水での洗浄が含まれている。
【００５５】
実施例３：
実施例３では、光増感剤と外因性繊維を含む溶液を使用して、対象の毛髪に美容処置を行った。図１１は、美容処置前の対象の毛髪の画像を示す。この実施例では、８％（ｗ／ｗ）ケラチンと０．１％（ｗ／ｗ）ローズベンガルの濃度のリン酸緩衝生理食塩水（ＰＢＳ）溶液を対象の毛髪に塗布し、毛髪は、熱または他の化学薬品を加えることなく、元の形状から巻き毛状態に物理的に変化した。次に、ある持続期間の間、毛髪に電磁放射を照射した。図１２は、処置後の対象の毛髪の画像を示し、図１３は、１回の洗浄１３１０の後、２回の洗浄１３２０の後、３回の洗浄１３３０の後、４回の洗浄１３４０の後、５回の洗浄１３５０の後、６回の洗浄１３６０の後、および８回の洗浄１３７０の後の対象の毛髪を示す一連の画像を示す。洗浄手順には、毛髪のシャンプーおよび水での洗浄が含まれている。
【００５６】
本発明を１つ以上の好ましい実施形態に関して説明してきたが、明示的に述べられたもの以外の多くの同等物、代替物、変形物、および修正物が可能であり、本発明の範囲内であることを理解されたい。
【図１】
2020525092.tif 000004
【図２】
2020525092.tif 000005
【図３】
2020525092.tif 000006
【図４】
2020525092.tif 000007
【図５】
2020525092.tif 000008
【図６】
2020525092.tif 000009
【図７】
2020525092.tif 000010
【図８】
2020525092.tif 000011
【図９】
2020525092.tif 000012
【図１０】
2020525092.tif 000013
【図１１】
2020525092.tif 000014
【図１２】
2020525092.tif 000015
【図１３】
2020525092.tif 000016
【国際調査報告】
2020525092.tif 000017
2020525092.tif 000018
2020525092.tif 000019